【事件の表示】
　特願２００１−３６１０３６「潅流観測装置」拒絶査定不服審判事件〔平成１４年８月６日出願公開、特開２００２−２１９１２９〕について、次のとおり審決する。
【結　論】
　本件審判の請求は、成り立たない。
【理　由】
Ｉ．手続の経緯
　本願は、平成１３年１１月２７日（パリ条約による優先権主張２０００年１１月２８日、ドイツ国）の出願であって、平成１６年１０月２２日付で拒絶査定がなされ（発送日：同年１１月２日）、これに対し、平成１７年１月２８日に拒絶査定に対する審判請求がなされるとともに、同日付で手続補正がなされたものである。
　
II．平成１７年１月２８日付の手続補正についての補正却下の決定
［補正却下の決定の結論］
　平成１７年１月２８日付の手続補正を却下する。
［理由］
１．補正後の本願発明
　本件補正により、特許請求の範囲の請求項１は
「血管内に注入された発色要素に電磁光線束を照射し、励起された蛍光を検出することにより組織の潅流を観測するための潅流観測装置であって、
　発色要素の蛍光励起の波長域に相当する波長域の電磁光線束を生成する照射源と、
前記照射源からの電磁光線束の照射範囲を制御する光拡大装置と、
前記照射源と前記光拡大装置とを一体化して収容する安全ケースと、
励起された発色要素の発光に対しては透過性を有し、生成された光線束の波長域に対しては不透過性を有する光学フィルタを備えた電子カメラとを備え、かつ、
前記照射源が赤外レーザ光源であり、
前記安全ケースから出る赤外レーザ光線の放射強度を、式（１）により求められる値未満とすることを特徴とする潅流観測装置。
　　９．２・１０0.002・(λ/nm-700)ｍＷ・ｃｍ-2　　（１）
　　但し、λは赤外レーザ光源のピーク波長とする。　」
と補正された。
　上記補正は、平成１６年８月３０日付け手続補正書により補正された特許請求の範囲（以下「旧特許請求の範囲」という。）の請求項１（以下「旧請求項１」という。旧特許請求の範囲の他の請求項についても同様。）に、明細書、旧請求項３及び４に記載された事項を加えて、請求項１に記載した発明を特定するために必要な事項である「放射強度」、「照射源」及び「潅流観測装置」の測定原理についてそれぞれ限定を付加するものであって、特許法第１７条の２第４項第２号に規定する、請求の範囲の減縮を目的とするものに該当する。
　
　そこで、本件補正後の前記請求項１に記載された発明（以下「本願補正発明」という。）が特許出願の際独立して特許を受けることができるものであるか（特許法１７条の２第５項において準用する同法第１２６条第５項の規定に適合するか）について以下に検討する。　
　
２．引用例
ア．原査定の拒絶の理由に引用した特表平１１−５０９７４８号公報（以下、「引用例１」という。）には、図面とともに次の記載がある。
（ア１）「発明の背景
  本発明は生物学的組織における解剖学上構造の位置同定(localization)のためのシステムと方法とに関する。詳述すれば、本発明は、例えば血液とかの目的構造体の特有の吸収特性と散乱特性とに感応する装置を利用して、人体における血管とかの解剖学上構造体の位置を同定するシステムと方法とに関する。更に、本発明は、血管とかの目的構造体とその周辺組織とのコントラストを高めるシステムと方法とにも関している。」（第６ページ第３乃至９行）
（ア２）「発明の開示
  本発明では、血管の如くの解剖学上構造体をその周辺組織とは大きなコントラストを付けて見ることのできるシステムと方法とを提供している。本発明は、目標組織から特異的に散乱する反射電磁照射波を利用して解剖学上構造体の画像を構築するのを目的としている。
  本発明の別の目的は、目標部域から反射される電磁照射特性を検出することにより解剖学上構造体の明晰な三次元画像を生成することにある。
・・・
本発明のもう一つの目的は、撮像システムで利用する、解剖学上構造体とその周辺組織との間のコントラストを向上する方法と装置とを提供することにある。」（第８ページ第１２乃至２５行）
（ア３）「発明の説明
  本発明は、血管の如くの解剖学上構造体の位置同定のためのシステムを提供するものであって、光源と、検査部位から反射された光照射を検出するイメージ検出器と、該イメージ検出器からイメージ情報を受けて表示するモニターとからなる。「光源」なる用語は、・・・レーザ光光源の如くの単色光源をも含むものである。また、「イメージ検出器」なる用語は光を検出できるものであればどのようなものであってもよく、電荷結合装置型赤外線カメラ(ＣＣＤ)、ビデオカメラ、液晶テレビ検出器などを含むものである。
  所望に応じては、画像における解剖学上構造体とその周辺組織との間のコントラストを増強する素子類を本発明に設けても良い。ここでの「コントラスト増強素子」なる用語は、解剖学上構造体とその周辺組織との間の画像におけるコントラストを高めるものであれば一つの素子であっても良いし、又は、複数の素子の組合せからなるものであってもよく、素子としては、必要波長以外の光を除去するもの、目標組織部域における生物学的組織から複合散乱する光を減少させる、又は、目標部域近傍の生物学的組織からの複合散乱光を除去する素子などがある。このようなコントラスト増強調素子としては、帯域フィルター、・・・、外因性色素(exogenous dye)、・・・などが挙げられる。」（第９ページ第１２行乃至第１０ぺージ第３行）
（ア４）「好ましい実施の形態の詳細な説明
  本発明の原理に従って構築した撮像システムを図１に示しているが、そのシステムは入射光４を生物学的組織６に対して照射する光源２からなり、入射光４の一部は目標解剖学上構造体８に吸収されるまで生物学的組織を透過する。イメージ検出器１２（例えば、Dage-MTI社から入手可能なCCD-72型カメラ）が、解剖学上構造体とは異なった吸収波長の、目標解剖学上構造体を取り巻く組織から主として反射された反射光１６を検出する。このイメージ検出器１６はモニター１４に対してビデオ信号１８を供給するので、組織から反射した入射光の強度情報が画像としてモニターに表示される。多色光源を利用した場合では、目標構造体の撮像に有用な範囲外の波長は一つかそれ以上の帯域フィルター１０によりカットされる。別の方法として、撮像検出器で、例えば電荷結合装置型赤外線カメラ（例えばニュージャージ州フェアチャイルド所在のエレクトロフィジックス社から入手可能なCCD1350-1赤外線CCDカメラと6300-00イメージ増強器）でそのようになっているように、有用な範囲の波長のみを検出するようにしても良い。」（第１４ページ第６乃至２２行）
（ア５）「好ましい実施の形態の変形例としては、全ての周囲光をカットするために、ビデオカメラの直前に帯域フィルター４６ａ、４６ｂ（例えばバーモント州ブラットルボロ所在のオメガ・オプティック社製のＢＰシリーズ３Cavityなる中心波長を８０８ｎｍとするフィルター）を配置しても良い。」（第１７ページ第２１乃至２４行）
（ア６）「別の方法としては、外因性色素が周辺組織に集まるようにし、目標解剖学上構造体には集まらないようにする。例えば、インドシアン系緑(ICG)色素は組織が比較的透過性を呈しているのであれば、近８００ｎｍの波長を強く吸収する。フロック(Flock，S)らによる「インソシアン(insocynine)系緑とパルス駆動式アレキサンドリアレーザを用いた血管の熱的損傷」、Lasers Med．Sci.，8:185-196(1993)。反射画像は、８００ｎｍ照射源を用いて撮像する。その後、ＩＣＧを上流から注入して、二番目の画像を撮像する。最初の画像はデジタル処理器により小憶され、二番目の画像はデジタル処理器により差し引かれ、かくて前述したように結果が表示される。別の方法としては、操作者が前述した点滅撮像法を利用して、デジタル処理を行うことなく画像をモニターすることもできる。」（第１８ページ第１２乃至２３行）
（ア７）「この実施の形態の変形例として、得点と抗原に対する単クローン系抗体を光吸収性発色団に結合させている。すると抗体は目標組織に結合する。そこで、目標部域を発色団が吸収する波長の光で照射して、それにより得られた画像を検出する。別の方法としては、抗体と結合した蛍光発色団(fluorophore)を励起する波長を利用して、蛍光発色団からの蛍光を検出するようにしても良い。この方法では、抗体技術(antibody technology)を介して結合し得る皮下病理学の画像が形成できる。例えば、肝細胞表層抗原に対する単クローン系抗体を注入すると、本発明により肝臓の画像を形成することができる。そのような技法は、前述のシステムや組合せの何れにも利用できる。
  この好ましい実施の形態のまた別の変形例としては、プラクないしコレステロールに親和力のある分子を血流に注入する方法がある。この場合、注入された分子は血管内のプラクに集まる。ハヤシ(Hayashi)らによる「モノ-L-アスパルチル-クロリンｅ６の蛍光発色スペクトル分析によるアテロームプラクの偶発的位置同定(Transadvential Localization of Atheromatous Plaques by Fluorescence Emission Spectrum Analysis of Mono-L-aspartyl-chlorin e6)」、27:1943-1947(1993)。この変形例では、照射波長は、薬の微分吸収特性(differential absorbance)ないし、別の方法として、特定の波長における薬の蛍光発色能(drug'ｓcapacity for fluorescence)に基づいて選定している。するとコントラスト画像が、適当な波長での照射後にイメージ検出器により検出される。」(第１８ページ第２４行乃至第１９ぺージ第１４行)
　
　これらの記載を参照すると、引用例１には、次の発明が記載されている（以下、「引用発明１」という。）。
「血管にＩＣＧなどの外因性色素を注入した上で生物学的組織に該外因性色素の吸収波長に一致する入射光を照射し、反射画像を帯域フィルターを介してＣＣＤカメラ或いはビデオカメラなどのイメージ検出器で撮像する、血液とかの目的構造体の特有の吸収特性と散乱特性とに感応する装置を利用して人体における血管とかの解剖学上構造体の位置を同定するシステムであって、８００ｎｍの波長を強く吸収する外因性色素に対し、８００ｎｍの入射光を照射源を用いて撮像し、目標構造体の撮像に有用な範囲外の波長をカットする、例えば中心波長８０８ｎｍの帯域フィルターをイメージ検出器の直前に備え、レーザー光光源を光源とすることを含んでなる、システム。」
　
イ．原査定の拒絶の理由に引用した特開平９−１６７９９６号公報（以下、「引用例２」という。）には、次の記載がある。
（イ１）「【０００３】そこで、発光ダイオードに比べて動作速度の高速化が可能な半導体レーザを送信光の発光源とする試みがなされている。しかし、レーザ光は、人体への悪影響があることが知られている。即ち、コヒーレント光であるレーザ光は、集光レンズ（凸レンズ）により非常に小さく集光されるので、人間の眼にレーザ光が入射された場合には、レーザ光が眼球内で非常に小さく集光されることになる。レーザ光はエネルギー密度が高いため、非常に小さく集光されることで眼球内を損傷してしまう。更に、比較的安価で出力の大きい半導体レーザは、近赤外光域の光を発し人間の目には見えないこともあり、知らない間に目を損傷してしまうという危険性がある。したがって、送信光の発光源としてレーザ光を用いる場合には、このような人体への悪影響を考慮する必要がある。」
（イ２）「【０００９】そこで、本発明は上記の点に着目してなされたものであり、半導体レーザ光源を使用する場合の安全性を向上させ、使用場所や使用方法の制限を大幅に緩和した光無線通信装置を提供することを目的とするものである。」
（イ３）「【００１０】
【課題を解決するための手段】本発明は、上記目的を達成するための手段として、「情報に応じて変調されたレーザ光を送信光として空間中に出力する送信手段と、前記送信光を受光して前記情報に応じた信号を出力する受信手段とを備え、前記送信手段と前記受信手段とを用いて前記情報の光無線通信を行う光無線通信装置において、前記送信手段は、前記レーザ光を出力させるための開口部を形成した筐体内に前記レーザ光の発光源となる半導体レーザ光源と、前記筐体の開口部の位置よりも内側の位置に配置した前記半導体レーザ光源からのレーザ光を拡散させる拡散レンズとを設けた発光部を備え、この発光部から拡散されたレーザ光を出力させると共にこの拡散されたレーザ光を前記送信光とすることを特徴とする光無線通信装置」を提供しようとするものである。」
（イ４）「【００１１】本発明の光無線通信装置及びその送信装置では、送信光であるレーザ光を平行光束になるように整形するのではなく、拡散するように整形して拡散されたレーザ光を送信光として出力するようにしている。このようにすれば、上述のように送信装置と受光装置との位置関係による問題を回避できるだけではなく、拡散整形によるレーザ光パワーの分散により、レーザ光のエネルギー密度を小さくすることができ、人間の眼に与える影響をも小さくできる。また、レーザ光を拡散させる拡散レンズと半導体レーザ光源とを筐体中に設けることで、エネルギー密度の高い危険なレーザ光が直接外部に漏れることがなく、更に、拡散レンズをレーザ光を出力させるための開口部よりも内側に配置することで、レーザ光の出力中に開口部を直に覗き込んだとしても、拡散レンズと眼との間に距離があるため、拡散が不十分なエネルギー密度の高いレーザ光が眼に入射されることがない。」
（イ５）「【００１３】上記発光部４は、上記送信用レーザ光ＬＣを出力するための開口部１１Ａを形成した筐体１１内に、上記送信用レーザ光ＬＣの発光源となる半導体レーザ光源１２と、この半導体レーザ光源１２からのレーザ光ＬＡを拡散させる拡散レンズ（凹レンズ）１３とを設けた構造となっている。上記半導体レーザ光源１２は、この半導体レーザ光源１２からのレーザ光ＬＡが上記開口部１１Ａから出力されるような適宜な位置に配置され、上記拡散レンズ１３は、半導体レーザ光源１２と開口部１１Ａとの間に開口部１１Ａから所定の距離Ｄだけ内側の位置に配置される。
【００１４】上記筐体１１は、光を通さない樹脂や金属等の材料で構成され、一側面に上記開口部１１Ａが形成され、上記開口部１１Ａと上記拡散レンズ１３との間には側壁１１Ｂが形成される。したがって、発光部４からは、拡散レンズ１３を通過した拡散レーザ光ＬＢだけが外部に出力され、エネルギー密度の高いレーザ光ＬＡが直接外部に漏れない構造になっている。また、拡散レンズ１３付近の拡散レーザ光ＬＢは、拡散が不十分であるため、エネルギー密度が高い。このため、拡散レンズ１３を、筐体１１の開口部１１Ａの位置から距離Ｄだけ内側の位置に配置して、ある程度拡散された拡散レーザ光ＬＢが開口部１１Ａから出力されるように構成してある。なお、拡散レンズ１３と開口部１１Ａとの距離Ｄは、拡散レーザ光ＬＢの照射強度により適宜決定する。」
　
ウ．特開平６−３１９７６５号公報（以下、「周知例１」という。）には、図面とともに次の記載がある。
（ウ１）「【００３６】(2)．赤外蛍光観察
一方、患者にＩＣＧ（インドシアニングリーン）を静脈注射する。」
（ウ２）「【００４０】また、この際レーザーダイオードＬＤ１からの７８０ｎｍの赤外励起光は集光レンズ１１３，ダイクロイックミラー１１２，光ファイバー１１１を介して眼底Efに照射される。これにより、ＩＣＧが静注により眼底Efの毛細血管に達していると、このＩＣＧに７８０ｎｍの赤外励起光が吸収されて、ＩＣＧが励起され、このＩＣＧから８２０ｎｍを中心波長とする８００ｎｍ以上の赤外蛍光が発光される。」
（ウ３）「【００４３】また、照明モード切換スイッチ１３１により赤外励起光による照明モードを選択した時、ハロゲンランプ１００を消灯し、赤外蛍光像のみが観察できるようにしてもよい。この場合には、クイックリターンハーフミラー８１は全反射のクイックリターンミラーに代えて、より鮮明な蛍光像を観察できるようにしてもよい。」
（ウ４）「【００４５】一方、変倍レンズ３０を透過した反射光のうち８００ｎｍ以上の赤外蛍光及びエイミング反射光は、一方のダイクロイックミラー８０，結像レンズ６０，斜設ミラー９０を介してTVカメラ９１に入射して、TVカメラ９１のエリアCCD９１ａ（撮像手段）に赤外蛍光像（被観察像）とエイミングスポット光像を結像させる。」
　
エ．特開２０００−６０８００号公報（以下「周知例２」という。）には、次の記載がある。
（エ１）「【００２７】・・・
〔赤外蛍光による眼底撮影〕被検眼Eの眼底Ｅｆを赤外蛍光の観察撮影光により眼底を撮影する場合には、クイックリターンミラー２９を観察光学系の光軸上に実線の如く配置するととともに、バンドパスフィルター５には、図３に示した波長域が７００ｎｍ〜８００ｎｍでピークが７５０ｎｍのエキサイターフィルターを用いて、このバンドパスフィルター５を観察照明光投影用の第１照明光学系の光軸上に配置する。
【００２８】一方、被検者にＩＣＧすなわちインドシアニングリーンを注射する。この注射後、数秒〜１０数秒でインドシアニングリーンが眼底Ｅｆの血管に循環し始める。 この際、キセノンランプ１５を点灯して、照明光を観察照明光学系を介して対物レンズ１３から眼底Ｅｆに照射する。この際、眼底Ｅｆにはエキサイターフィルターの作用により７００ｎｍ〜８００ｎｍの光が照射される。この照射により眼底Ｅｆの血管内のＩＣＧが７００ｎｍ〜８００ｎｍの光を吸収して励起されて赤外蛍光を発する。このようにして励起された赤外蛍光が対物レンズ１３、斜設穴あきミラー１２、乱視補正レンズ１７、視度補正レンズ１８、変倍レンズ１９、合焦レンズ２０、バリアフィルター３０及び反射ミラー３１を介して第２受光部２８に案内され、第２受光部２８には赤外蛍光による眼底血管像が結像することになる。この際、バリアフィルター３０により、８２０ｎｍ〜９００ｎｍでピークが８５０ｎｍの赤外光を第２受光部２８に案内する。」
　
３．対比
引用発明１の
 (a)「外因性色素」、(b)「イメージ検出器」、(c)「帯域フィルタ」、(d)「入射光」、
は、それぞれ本願補正発明の 
(a)「発色色素」、(b)「電子カメラ」、(c)「光学フィルタ」、(d)「電磁光線束」、
に相当することが明らかである。
　また、引用発明１は、血液特有の吸収特性と散乱特性とに感応する装置を利用して人体における血管など解剖学上構造体の位置を同定するシステムに関するものであり、その観測対象は血液や血管の存在位置であるから、本願補正発明が血液の流れを意味する「潅流」を観測対象としている点と一致する。
　また、引用発明１では、光源としてレーザ光光源が例示されており、照射源の照射波長として赤外域に属する８００ｎｍが例示されていることから、引用発明１は、照射源を赤外レーザとすることを含むものである。
　よって両者は、
（一致点）
「血管内に注入された発色要素に電磁光線束を照射し、照射された組織から得られる画像を検出することにより組織の潅流を観測するための潅流観測装置であって、
　発色要素と相互作用する波長域に相当する波長域の電磁光線束を生成する照射源と、
目標構造体の撮像に有用な範囲の光に対しては透過性を有する光学フィルタを備えた電子カメラとを備え、かつ、前記照射源が赤外レーザ光源である潅流観測装置。」
の点で一致し、以下の各点で相違する。
（相違点１）
本願補正発明が、発色要素の蛍光励起の波長域に相当する電磁光線束を照射することにより励起された蛍光を検出するのに対し、引用発明１は、発色要素の吸収波長に相当する電磁光線束を照射し、反射画像を検出する点。
（相違点２）
本願補正発明が、近傍にいる人に対する危険を安全眼鏡の着用なしに守るためなどに（【００１５】、【００３７】）、前記照射源からの電磁光線束の照射範囲を制御する光拡大装置と、前記照射源と前記光拡大装置とを一体化して収容する安全ケースを備えているのに対し、引用発明１では、そのような手段を備えていない点。
（相違点３）
本願補正発明では、電子カメラが備える光学フィルタが、励起された発色要素の発光に対しては透過性を有し、生成された光線束の波長域に対しては不透過性を有する光学フィルタであるのに対し、引用発明１では、照射源の波長にほぼ一致する波長域に透過性を有する光学フィルタである点。
（相違点４）
本願補正発明では、安全ケースから出る赤外レーザ光線の放射強度を、式（１）（II．１．参照）により求められる値未満とするものであるのに対し、引用発明１では、レーザー強度に対する上限値の設定に関し言及がない点。
　
４．判断
（１）相違点１及び３について
　血管内に注入された発色要素に電磁光線束を照射し、組織の潅流を観測するための潅流観測装置に於いて、発色要素を蛍光発色団やＩＣＧなどの蛍光性の発色要素とし、照射する電磁光線束として該発色要素の励起波長を選択し、照射された領域の蛍光画像を検出する方式は、引用例１の上記（ア７）や、周知例１，２にも記載されたとおり、周知慣用のものである。
　また、蛍光波長を透過し、励起波長を透過しないフィルタを検出器の前段に設けることは、蛍光測定に於ける常套手段であるし、ＩＣＧを用いた潅流観測装置に於いてそのようなフィルターを用いることも、上記周知例１，２に記載されている。
　また、引用発明１において、吸収測定用として用いられている発色要素は、本願補正発明の実施例で用いられているものと同じＩＣＧである。
　よって、引用発明１に於いて、吸収性の発色要素として用いているＩＣＧを蛍光性の発色色素として利用し、吸収性の発色色素として用いる際と同様の８００ｎｍ前後の照射波長を蛍光励起波長として用いて、その赤外蛍光を観察するようにすることは、前記周知慣用技術に基づいて当業者が容易に想到し得た事項である。
　また、その際に、ＩＣＧ投与による赤外蛍光潅流観測をはじめとする蛍光測定に於ける前記周知技術に従って、電子カメラ前段に、蛍光を透過し、励起光に対して不透過である光学フィルターを設けることも、当業者が容易に為し得たことである。
　
（２）相違点２について
　レーザーを使用する機器に於いて、出射光を直視することによる目の損傷を避けるために、照射源からのレーザー光を拡散してエネルギー密度を小さくするための拡散レンズを設け、照射源であるレーザー光源と前記拡散レンズとを光を通さない筐体の内部に配置してエネルギー密度の高いレーザー光が外部に漏れない構造とすることは、引用例２にも記載されているとおりの周知技術に過ぎない。そして、「拡散レンズ」及び「筐体」は、それらの機能からみて、それぞれ本願補正発明の「光拡大装置」及び「安全ケース」に相当することが明らかであり、人の存在下でレーザー光源を用いる引用発明１に於いて、レーザー光源である照射源に光拡大装置を設け、それらを安全ケースに収容した構成とすることは、該周知技術に基づいて当業者が容易に想到し得た事項である。
　
（３）相違点４について
　上記式（１）は、本願明細書【００１５】にも記載されているとおり、欧州規格ＥＮ６０８２５−１から引用されたものであり、本願優先日に於いて周知である、レーザ製品の安全に関する国際規格ＩＥＣ６０８２５−１についての刊行物「INTERNATIONAL STANDARD IEC825-1 First edition 1993-11 Safety of laser products- Part 1:Equipment classification, requirements and user's guide(1993；国立国会図書館受入日：平成６年３月１４日)p55,63,67,93,95,115」に於いて、波長範囲λが７００〜１０５０ｎｍで、照射時間ｔが１０秒以上（１０００秒以下）のレーザー光についての目や皮膚に対する被爆放出限界ＡＥＬ及び最大許容露光量値ＭＰＥとして規定された式
　「１８・ｔ0.75Ｃ4Ｃ6Ｊ・ｍ-2」（Table 3,6）
に、ｐ６７の表から、波長範囲７００〜１０５０ｎｍに対するＣ4 の値
　「Ｃ4＝１０0.002(λ-700)　  」
を代入し、
　αmax＝０．１rad（＝１００mrad）（p115；Annex A）、
　ｔ≧１０秒に対するαmin＝１１mrad（p93）
であるところ、拡散光源についての一般的な値であるαmax以上の見込み角α（ＡＥＬやＭＰＥが光源のサイズと無関係となる）についてのＣ6の値
　「Ｃ6＝αmax／αmin  ＝１００／１１」
を代入することで得られる、
　ＭＰＥ（ＡＥＬ）　
　＝１８・１０0.75・１０0.002(λ-700)・１００／１１　Ｊ・ｍ-2　　
　＝１８・１０0.75・１０0.002(λ-700)・１００／１１／１０s・１０(3-4)　ｍＷ・ｃｍ-2  　　　
　≒９．２・１０0.002(λ-700)  ｍＷ・ｃｍ-2　　
と相違が無い。そして、ここでの波長範囲λにはＩＣＧの吸収・励起波長が含まれ、照射時間１０秒以上との設定は、一般的な蛍光測定に於ける励起光暴露時間の想定としては十分なものである。
　よって、該相違点２に係る、レーザー光線の照射強度の上限値を規定する式（１）は、前記周知の国際規格ＩＥＣ６０８２５−１に規定された前記被爆放出限界ＡＥＬ及び前記最大許容露光量値ＭＰＥの算出式に、周知のＩＣＧを用いた赤外蛍光観測による潅流観察装置に於いて自明かつ容易に想定される諸パラメータを代入することにより、容易に導き出すことができたものである。
　
　そして、本願補正発明の作用効果も、引用発明１および上記周知技術から当業者であれば予測できる範囲のものである。
　
　したがって、本願補正発明は、引用例１に記載された発明及び周知技術に基づいて、当業者が容易に発明することができたものであるから、特許法第２９条第２項の規定により特許出願の際独立して特許を受けることができないものである。 
　 
５．むすび
　以上のとおりであるから、本件補正は、特許法第１７条の２第５項で準用する同法第１２６条５項の規定に違反するものであり、特許法第１５９条第１項において読み替えて準用する同法第５３条第１項の規定により却下されるべきものである。
　
III．本願発明について
　平成１７年１月２８日付の手続補正は上記のとおり却下されたので、本願請求項１に記載された発明（以下、「本願発明」という）は、平成１６年８月３０日付手続補正書の特許請求の範囲の請求項１に記載された、次のとおりのものである。
「組織の潅流を観測するための潅流観測装置であって、発色要素の蛍光励起の波長域に相当する波長域の電磁光線束を生成するとともに、電磁光線束の放射強度が所定の値に制御される照射源と、前記照射源からの電磁光線束の照射範囲を制御する光拡大装置と、前記照射源と前記光拡大装置とを一体化して収容する安全ケースと、励起された発色要素の発光に対しては透過性を有し、生成された光線束の波長域に対しては不透過性を有する光学フィルタを備えた電子カメラとを備えてなることを特徴とする潅流観測装置。」
　
１．引用例
　原査定の拒絶の理由に引用された引用例、及びその記載事項は、前記「II．２．」及び「II．４．」に記載したとおりである。　
　
２．対比
　本願発明は、前記II．で検討した本願補正発明から「照射源」の限定事項である「赤外レーザ光源」との構成を省き、「放射強度」の数値範囲を限定する「式（１）」に係る構成を省き、また、「潅流観測装置」の測定原理に係る「血管内に注入された発色要素に電磁光線束を照射し、励起された蛍光を検出することにより」との限定事項を省いたものである。
　そうすると、本願発明の構成要件をすべて含み、さらに他の構成要件を付加したものに相当する本願補正発明が、前記II．４．に記載したとおり、引用発明１及び周知技術に基づいて、当業者が容易に発明をすることができたものであるから、本願発明も同様の理由により、引用発明１及び周知技術に基づいて、当業者が容易に発明をすることができたものである。　
　
３．むすび
　以上のとおり、本願発明は、引用例１に記載された発明及び周知技術に基づいて、当業者が容易に発明をすることができたものであるから、特許法第２９条２項の規定により特許を受けることができない。
　したがって、請求項２乃至２０に係る発明について審理するまでもなく、本件出願は拒絶されるべきものである。
　よって、結論のとおり審決する。